(57)【要約】【課題】  簡単かつ安価な構成で、被介護人の椅子等から離間動作を確実に付添人に知らせて、付添人の負担を軽減し、また被介護人の事故を未然に防止する。【解決手段】  連続気泡を有する発泡クッション材によってクッション本体１０を形成し、その前側面１３に、空気室１７を設ける。空気室１７の吸排気口１８ａに、笛２０を取り付ける。クッション本体１０は、被介護人の着座による加圧が解除されると、元の形状に復元される。この際、潰されていた気泡も元の形状に復元されるので、これらの気泡に、空気室１７内の空気が連続気泡を通って流れ込む。これにより、空気室内が負圧となって、笛２０から外部の空気が吸引され、笛が報知音を発生させて、付添人に知らせる。【選択図】      図１
2006288959.tif 000002
【特許請求の範囲】
【請求項１】
使用者の着座による加圧によって弾性変形する介護用クッションにおいて、
連続気泡を有する発泡クッション材によって形成され、使用者の加圧により圧縮されるとともに加圧解除により元の形状に復元されるクッション本体と、
前記クッション本体の表面近傍に吸排気口を有し、前記クッション本体の奥側に向けて形成された空気室であって、前記クッション本体の圧縮により前記吸排気口から排気を行うとともに前記クッション本体の復元により負圧となって前記吸排気口から吸気を行う空気室と、
前記給排気口に取り付けられて前記吸排気口からの吸気により報知音を発生させる笛とを備えた、
ことを特徴とする介護用クッション。
【請求項２】
前記クッション本体を覆うカバー部材を備え、
前記カバー部材のうちの前記空気室に対応する部分に前記吸排気口が形成されている、
ことを特徴とする請求項１に記載の介護用クッション。
【請求項３】
前記カバー部材が防水性を有する部材によって形成されている、
ことを特徴とする請求項２に記載の介護用クッション。
【請求項４】
前記クッション本体が、反発性が低い低反発性の発泡クッション材からなる層と反発性が高い高反発性の発泡クッション材からなる層とを有する板状に形成され、
前記空気室が、前記２層の発泡クッション材に跨って形成されている、
ことを特徴とする請求項１ないし３のいずれか１項に記載の介護用クッション。
【請求項５】
前記空気室が前記クッション本体の表面及び裏面以外の側面に、１又は複数形成されていて、前記笛が前記各空気室に取り付けられている、
ことを特徴とする請求項１ないし４のいずれか１項に記載の介護用クッション。
【請求項６】
前記空気室に、前記空気室の変形を防止する中空状の変形防止部材が挿着されている、
ことを特徴とする請求項１ないし５のいずれか１項に記載の介護用クッション。
【発明の詳細な説明】
【技術分野】
【０００１】
本発明は、被介護人が椅子等から立ち上がろうとすることを、付添人に知らせることができる介護用クッションに関する。
【背景技術】
【０００２】
一人では歩行や立ち上がることが困難、あるいはおぼつかない高齢者，認知症患者，リハビリテーション中の者など（以下「被介護人」という。）が、椅子，車椅子，ソファ，ベッドなど（以下「椅子等」という。）から一人で立ち上がろうとすると、よろめいて周辺の器物を破損したり、転倒して負傷したりするおそれがある。このような事故を未然に防止するための方策として、家族，介護士，施設の管理者など（以下「付添人」という。）が常時、被介護人を監視することが考えられる。しかし、これは、付添人が、いつ立ち上がろうとするのかわからない被介護人から目を離すことができないことを意味し、付添人にとって大きな負担となる。
【０００３】
そこで、被介護人が椅子等から離れたり、立ち上がったりしたときには、このことを付添人に速やかに知らせることにより、付添人の負担を大幅に軽減し、かつ被介護人の事故を未然に防止するようにした技術が提案されている（例えば、特許文献１，２，３参照）。
【特許文献１】特開２００２−１２６００７号公報
【特許文献２】特開２００３−２６５５４６号公報
【特許文献３】特開２００３−１０９１４５号公報
【発明の開示】
【発明が解決しようとする課題】
【０００４】
ところで、上述の特許文献１〜３のものは、圧力感知センサ，赤外線センサ，温度センサ，歪みセンサなどの検知センサを利用している。これらの検知センサを、椅子等や被介護人の衣服に取り付けて、被介護人の離間動作、すなわち椅子等から離れたり、立ち上がろうとしたりする動作を検知センサによって検知し、その検知結果に基づいてチャイムを鳴らしたり（特許文献１）、ナースコールに伝えたり（特許文献２）、報知装置から警報を発生させたり（特許文献３）している。
【０００５】
このように、特許文献１〜３のものは、検知センサ、これらを取り付けるための取り付け具、検知結果を出力するための装置等が必要となるため、設備が大掛かりで、高価なものになるという問題があった。今後、被介護人の増加が見込まれる社会環境にあっては、例えば、家庭等においても簡単に使用することができる安価なものが強く望まれていた。
【０００６】
そこで、本発明は、簡単かつ安価なものでありながら、被介護人の椅子等からの離間動作を有効に付添人に知らせることができるようにして付添人の負担を軽減するとともに、被介護人の事故を未然に防止するようにした介護用クッションを提供することを目的とするものである。
【課題を解決するための手段】
【０００７】
請求項１に係る本発明は、使用者の着座による加圧によって弾性変形する介護用クッションにおいて、連続気泡を有する発泡クッション材によって形成され、使用者の加圧により圧縮されるとともに加圧解除により元の形状に復元されるクッション本体と、前記クッション本体の表面近傍に吸排気口を有し、前記クッション本体の奥側に向けて形成された空気室であって、前記クッション本体の圧縮により前記吸排気口から排気を行うとともに前記クッション本体の復元により負圧となって前記吸排気口から吸気を行う空気室と、前記給排気口に取り付けられて前記吸排気口からの吸気により報知音を発生させる笛とを備えた、ことを特徴とする。
【０００８】
請求項２に係る本発明は、請求項１に記載の介護用クッションにおいて、前記クッション本体を覆うカバー部材を備え、前記カバー部材のうちの前記空気室に対応する部分に前記吸排気口が形成されている、ことを特徴とする。
【０００９】
請求項３に係る本発明は、請求項２に記載の介護用クッションにおいて、前記カバー部材が防水性を有する部材によって形成されている、ことを特徴とする。
【００１０】
請求項４に係る本発明は、請求項１ないし３のいずれか１項に記載の介護用クッションにおいて、前記クッション本体が、反発性が低い低反発性の発泡クッション材からなる層と反発性が高い高反発性の発泡クッション材からなる層とを有する板状に形成され、前記空気室が、前記２層の発泡クッション材に跨って形成されている、ことを特徴とする。
【００１１】
請求項５に係る本発明は、請求項１ないし４のいずれか１項に記載の介護用クッションにおいて、前記空気室が前記クッション本体の表面及び裏面以外の側面に、１又は複数形成されていて、前記笛が前記各空気室に取り付けられている、ことを特徴とする。
【００１２】
請求項６に係る本発明は、請求項１ないし５のいずれか１項に記載の介護用クッションにおいて、前記空気室に、前記空気室の変形を防止する中空状の変形防止部材が挿着されている、ことを特徴とする。
【発明の効果】
【００１３】
請求項１に係る本発明によると、クッション本体は、使用者が着座すると、加圧されて圧縮される。この圧縮された部分の気泡が潰されて気泡中の空気の一部が、連続気泡を通って空気室に到達し、吸排気口から外部に排出される。一方、使用者によるクッション本体の加圧が解除されると、圧縮されていた部分が元の形状に復元される。この際、潰されていた気泡も元の形状に復元されるので、これら復元された気泡に、空気室内の空気が連続気泡を通って流れ込む。これにより、空気室内が負圧となって、吸排気口から外部の空気を吸引する。この吸排気口から吸引される空気によって笛が報知音（付添人に知らせる音）を発生させる。すなわち、介護用クッションに着座していた使用者が立ち上がるなどして、加圧が解除されると、笛によって報知音が発生されるので、付添人は、報知音を聞くことにより、使用人が立ち上がろうとしていること（離間動作）を察知することができる。このため、付添人は、使用者がきちんと着座しているか否かを常に監視する負担から開放される。しかも、特別な検知センサ、検知センサの取り付け具、出力装置等が不要な、簡単かつ安価な構成で、使用者の離間動作を速やかにかつ確実に付添人に知らせることができる。これにより、さらに、被介護人が一人で立ち上がることに起因する周囲の器物の破損、転倒による負傷等の事故を未然に防止することができる。
【００１４】
請求項２に係る本発明によると、クッション本体がカバー部材によって覆われており、またカバー部材のうちの空気室に対応する部分に吸排気口が形成されているので、加圧解除に伴うクッション本体の復元時に、吸排気口から吸引される空気の量を増加させることができる。これにより、吸排気口に取り付けられている笛を確実に鳴らすことができる。また、カバー部材によってクッション本体を、汚染や摩耗や損傷から保護することもできる。
【００１５】
請求項３に係る本発明によると、カバー部材が防水性を有するので、例えば使用者の失禁等によってクッション本体が濡れることを防止することができる。また、防水性を有するということは、通気性がないあるいは困難ということなので、カバー部材の内側と外側との間の空気の出入りは専ら吸排気口を通して行われることになる。このため、加圧解除に伴うクッション本体の復元時に、吸排気口から吸引される空気の量をさらに一層増加させることができ、これにより、吸排気口に取り付けられている笛を一層確実に鳴らすことができる。
【００１６】
請求項４に係る本発明によると、発泡クッション材が、反発性が低い層と高い層とを有している。このうち、反発性が低い層は、着座時の使用者の体型によくフィットして座り心地を良くすることができる反面、連続気泡中の空気の流れが悪い。これに対し、反発性が高い層は、座り心地は反発性が低い層に比べて良いとはいえないが、連続気泡中の空気の流れが良い。そこで、両者を組み合わせ、空気室を両者に跨るように形成することで、座り心地を良くすることと、空気の流通を良好にして笛が良くなるようにすることとを両立させることができる。
【００１７】
請求項５に係る本発明によると、空気室及び笛をクッション本体の側面に設けることにより、クッション本体の表面又は裏面に形成する場合と比べて、吸排気口が使用者によって塞がれたり、介護用クッションを例えば椅子に載せて使用する場合に椅子の表面によって塞がれたり、また空気室が潰されたりすることに起因する空気に流れの悪化を防止することができる。さらに、空気室及び笛を複数、設けることで、例えば、１つの空気室の吸排気口が閉塞されてしまうような悪条件の元でも、他の空気室の笛によって告知音を確実に発生させることができる。
【００１８】
請求項６に係る本発明によると、空気室が潰されることに起因する、負圧が発生しなくなる不具合を防止することができる。
【発明を実施するための最良の形態】
【００１９】
以下、図面に沿って、本発明の実施の形態について説明する。なお、各図面において同一の符号を付したものは、同一の構成又は作用をなすものであり、これらについての重複説明は適宜省略した。
＜実施の形態１＞
【００２０】
図１，図２，図３を参照して、本発明を適用することができる、実施の形態１の介護用クッション１について説明する。これらの図のうち図１は介護用クッション１の全体構成を示す斜視図、また図２は空気室１７の縦断面図、また図３は介護用クッション１の動作を説明する図である。
【００２１】
これらの図に示す介護用クッション１は、板状のクッション本体１０と、このクッション本体１０の一部に形成された空気室１７と、この空気室１７に取り付けられた笛２０とを備えている。
【００２２】
クッション本体１０は、本実施の形態では、図１に示すように、ほぼ正方形の板状に形成されていて、表面１１と、裏面１２と、４つの側面、すなわち前側面１３、後側面１４、左側面１５、右側面１６とを有している。表面１１（及び裏面１２）は、使用者である被介護人（使用者）が着座するのに好適な大きさ、例えば左右幅が４０ｃｍ、奥行きが４０ｃｍ程度、また厚さは５ｃｍ程度に設定されている。ここで、被介護人とは、家族や介護士や施設の管理者などの付添人の助けなしでは、一人では、椅子，車椅子，ソファ，ベッドなどから立ち上がったり、歩行したりすることが困難あるいはおぼつかない者もののことをいい、例えば、高齢者，認知症患者，リハビリテーション中の者などがこれに該当する。クッション本体１０全体は、適度な軟らかさ（反発性）を有する発泡クッション材、例えば発泡ウレタン（ウレタンフォーム）によって形成されている。さらに、本発明に適用されるクッション材としての発泡ウレタンは、その気泡が連続気泡である。ここで、連続気泡とは、気泡相互がつながっているものをいう。したがって、連続気泡の発泡ウレタンは、通気性を有することになる。
【００２３】
空気室１７は、本実施の形態では、上述のクッション本体１０の前側面１３に形成されている。空気室１７は、図１，図２に示すように、前側面１３から奥側に向けてほぼ円柱状に形成されている。空気室１７は、外部に向かって開口する円形の開口部１７ａを有しており、この開口部１７ａは、円板上のキャップ（蓋部材）１８によって閉蓋されている。このキャップ１８の中央には、円形の吸排気口１８ａが形成されている。このように空気室１７は、その内部が吸排気口１８ａを介して外部と連通している。空気室１７をクッション本体１０の側面（同図では前側面１３）に設けることにより、クッション本体１０の表面１１又は裏面１２に形成する場合と比べて、吸排気口１８ａが被介護人によって塞がれたり、介護用クッション１を例えば椅子に載せて使用する場合に椅子の表面によって塞がれたり、また空気室１７が潰されたりすることに起因する空気の流れの悪化に伴って笛２０の鳴りが悪くなるのを防止することができる。
【００２４】
笛２０は、上述の空気室１７の吸排気口１８ａに取り付けられている。笛２０は、吸い込み口２０ａと吐き出し口２０ｂとを有する円筒状の本体２０ｃと、この本体２０ｃに取り付けられたリード（不図示）とによって構成されている。リードは、吸い込み口２０ａから吐き出し口２０ｂに向かって空気が流れるときに振るえて音を発生させる向きに取り付けられている。つまり、笛２０は、外部の空気が図２の矢印ａで示すように、本体２０ｃ内を通過して空気室１７内に導かれる際に音を発生させるようになっている。なお、笛２０の吹き出し口２０ｂと空気室１７の底部１７ｂとの間には、適宜な距離が確保されている。これにより、吐き出し口２０ｂから空気室１７内に導かれる空気の流れが邪魔されないように、また空気室１７ａが適宜な容量を確保できるようになっている。
【００２５】
つづいて、図３を参照して、上述構成の介護用クッション１の動作について説明する。
【００２６】
介護用クッション１は、例えば、被介護人が座る椅子Ｃの表面（上面）に載置された状態で使用される。この介護用クッション１の上面１１に被介護人が着座すると、上面１１は、上方から加圧されて実線で示す位置から二点鎖線で示す位置に圧縮される。この際、クッション本体１０の圧縮された部分の気泡も同様に圧縮されるため、気泡内の空気が、連続気泡を通って外部に排出される。このとき一部の空気は、空気室１７、笛２０を介して外部に排出される。
【００２７】
ここで、被介護人が椅子Ｃから立ち上がろうとして介護用クッション１から離れると、圧縮されていたクッション本体１０は加圧解除されて元の形状に復元される。これにより、圧縮されていた気泡も元の形状に復帰する。このため、外部の空気が連続気泡を通って、元の形状に復帰した気泡に流れ込む。このとき、空気室１７内に負圧が発生する。この負圧により、外部の空気が笛２０を通って空気室１７内に流れ込む。このとき、笛２０が報知音を発生させて、付添人に、被介護人が立ち上がろうとしていることを知らせる。
【００２８】
なお、上述のクッション本体１０の表面における、笛２０以外の部分には、クッション本体１０と外部との空気の出入りを規制する塗布剤を塗っておくようにしてもよい。これにより、クッション本体１０が元の形状に復元される際に、笛２０を介して空気室１７に流れ込む空気の流量が多くなり、笛２０を確実に、また大きな音で鳴らすことができる。
【００２９】
以上説明したように、介護用クッション１は、使用者が立ち上がろうとする離間動作に連動して、笛２０が報知音を発生させることができるので、付添人は、使用者がきちんと着座しているか否かを常に監視する負担から開放される。しかも、特別な検知センサ、検知センサの取り付け具、出力装置等が不要な、簡単かつ安価な構成で、使用者の離間動作を速やかにかつ確実に付添人に知らせることができる。これにより、さらに、被介護人が一人で立ち上がることに起因する周囲の器物の破損、転倒による負傷等の事故を未然に防止することができる。
＜実施の形態２＞
【００３０】
図４，図５を参照して、本発明を適用することができる、実施の形態２の介護用クッション２について説明する。これらの図のうち、図４は介護用クッション２の全体構成を示す一部破断斜視図、また図５は空気室２３の縦断面図である。
【００３１】
これらの図に示す介護用クッション２は、上述の実施の形態１と同様の空気室２３を有するクッション本体２１の全体を、カバー部材２２で覆うように構成している。ここで、カバー部材２２としては、布や皮革を使用することができる。カバー部材２２のうちの空気室２３に対応する部分には、吸排気口２２ａが形成されている。この吸排気口２２ａには、実施の形態１と同様の、吸い込み口２０ａと吐き出し口２０ｂとを有する笛２０が取り付けられている。なお、クッション本体２１は、実施の形態１のクッション本体１０と同様、連続気泡を有する板状の発泡ウレタン（クッション部材）によって形成されている。また、空気室２３も上述の実施の形態１と同様に、開口部２３ａと底部２３ｂとを有していて、開口部２３ａは、カバー部材２２の一部によって閉蓋されている。
【００３２】
本実施の形態においては、クッション本体２１は、笛２０に対応する部分を除くほぼ全体がカバー部材２２によって覆われているので、クッション本体２１と外部との空気の出入りは、カバー部材２２が抵抗となるため、主に笛２０を介して行われることになる。このため、介護用クッション２に着座していた被介護人が立ち上がろうとして、クッション本体２１が元の形状に復元されると、外部の空気は、主に笛２０を介して、クッション本体２１に流れ込む。このため、実施の形態１と比較して、笛２０を通過する空気の流量を増加させることができ、笛２０をさらに大きな音で確実に鳴らすことができる。
【００３３】
本実施の形態において、さらに、上述のカバー部材２２を防水性を有する部材（例えば、塩化ビニール）によって形成するようにしてもよい。防水性を有する部材は、一般に通気性が悪い。このため、クッション本体２１と外部との空気の出入りは、専ら笛２０を介して行われることになる。つまり、防水性を有さないカバー部材と比較して、笛２０を通過する空気の流量をさらに一層増加させることができる。したがって、笛２０をさらに一層大きな音で確実に鳴らすことができる。なお、カバー部材２２が防水性を有する場合には、例えば被介護人の失禁等によってクッション本体２１が濡れることを確実に防止することができる、という別の効果もある。また、一般にカバー部材を防水性のある部材によって形成する場合には、例えば、着座面に空気抜きを設けることが必要となり、この空気抜きを介して、クッション本体２１が濡れるおそれがあるが、本実施の形態では、笛２０が空気抜きとしても作用するので、上述のような空気抜きが不要となる。このため、空気抜きを通って水分がクッション本体２１に染み込むようなことはない。
【００３４】
また、本実施の形態において、空気室２３の底部２３ｂの位置は、笛２０の吹き出し口２０ｂとの間に適宜な距離を確保できる限り特に限定されるものではない。例えば、底部２３ｂが、クッション本体２１の中央近傍まで達していたり、さらにその先まで延びていたりしてもよい。さらには、空気室２３がクッション本体２１全体を前後方向又は左右方向にトンネル状に貫通するように構成することも可能である。
＜実施の形態３＞
【００３５】
図６を参照して、本発明を適用することができる、実施の形態３の介護用クッションについて説明する。同図は、空気室２３の縦断面図である。
本実施の形態における、笛２０、カバー部材２２、空気室２３については、上述の実施の形態２と同様であるので、同じ符号を付して説明を省略する。
【００３６】
本実施の形態においては、上述の実施の形態１では１層で形成していたクッション本体２１に代えて、２層構造のクッション本体２４を使用している。
【００３７】
クッション本体２４を、反発性が低い低反発性の発泡クッション材で構成された低反発層２４ａと、反発性が高い高反発性の発泡クッション材で構成された高反発層２４ｂとを例えば接着することで２層構造とした。さらに、空気室２３が、低反発層２４ａと高反発層２４ｂとに跨って形成されるようにした。つまり、両者の境界面Ｓに交差するように空気室２３を形成した。
【００３８】
上述の構成によると、低反発層２４ａは、着座時の被介護人の体型に良くフィットして座り心地を良くすることができる反面、連続気泡中の空気の流れが悪いため、笛２０を通過する空気量が少なくなって報知音が小さくなるおそれがある。これに対し、高反発層２４ｂは、座り心地は低反発層２４ａに比べて良いとはいえないが、連続気泡中の空気の流れが良いため、笛２０を通過する空気量を多くして報知音を大きくすることが可能である。
【００３９】
図６に空気の流れを矢印ａで示すように、低反発層２４ａ内では空気の流れが悪く、高反発層２４ｂでは空気の流れが良い。このため、介護用クッションの中央部の加圧が解除されて、元の形状に復元されて気泡が復帰する際に、この気泡には、主に高反発層２４ｂを介して空気が流れ込むことになる。つまり、低反発層２４ａは、主に座り心地を良くするように作用し、一方、高反発層２４ｂは、主に空気の流通を良好にして笛２０を大きく、確実に鳴らすように作用する。
【００４０】
このように、本実施の形態では、クッション本体２４を、低反発層２４と高反発層２４ｂとの２層構造とし、さらに空気室２３を両者に跨るように形成することで、座り心地を良くすることと、空気の流通を良好にして笛が良くなるようにすることとを両立させることができる。
【００４１】
なお、例えば、クッション本体２４を、低反発層２４ａと高反発層２４ｂの厚さの比が３：２となるように構成し、さらに空気室２３をクッション本体２４の厚さ方向の中心に、両者に跨るように形成するとよい。さらに具体的には、低反発層２４ａの厚さを３０ｍｍ、高反発層２４ｂの厚さを２０ｍｍとしてクッション本体２４全体を５０ｍｍに構成し、直径が５０ｍｍの空気層２３をクッション本体２４の厚さ方向の中心に形成した。
【００４２】
なお、上述の数値は、一例であって、これらの数値は、低反発層２４ａ及び高反発層２４ｂの硬度や、それぞれの気泡の状態、空気室２３の大きさ、笛２０の大きさや構造に応じて、適宜に設定するとよい。
＜実施の形態４＞
【００４３】
図７を参照して、本発明を適用することができる、実施の形態４の介護用クッションについて説明する。同図は、空気室２３の縦断面図である。
【００４４】
同図に示すように、本実施の形態では、笛２０の吹き出し口２０ｂに変形防止部材２５を装着した。これ以外の構成については、図６に示す実施の形態３と同様なので説明は省略する。
【００４５】
本実施の形態では、縦断面形状がほぼ楕円形の中空の部材を変形防止部材２５として取り付けた。この変形防止部材２５には、多数の透孔２５ａが形成されていて、これら透孔２５ａを介して空気が出入りできるようになっている。この変形防止部材２５は、被介護人がこの上に着座した場合でも潰れない程度の強度を有する、例えば、プラスチックによって形成されている。
【００４６】
本実施の形態では、このような変形防止部材２５を装着することにより、空気室２３が潰されることに起因して負圧が発生しなくなることを防止する。これにより、笛２０が鳴らなくなることを有効に防止することができる。
【００４７】
なお、図７に示す例では、変形防止部材２５が、空気室２３の一部を占めるように構成しているが、これに代えて、変形防止部材２５が空気室２３のほぼ全体を占めるように、すなわち変形防止部材２５の外周面がクッション本体２４の低反発層２４ａ及び高反発層２４ｂに接するように構成してもよい。この場合には、変形防止部材２５の内側の空間が、空気室２３を構成することになる。
【００４８】
なお、変形防止部材２５の形状は、図７に示す形状に限定されるものではなく、例えば、円筒状のものであってもよい。
＜実施の形態５＞
【００４９】
図８を参照して、本発明を適用することができる、実施の形態５の介護用クッション３０について説明する。同図は、介護用クッション３０を上方から見た図である。
【００５０】
同図に示すように、介護用クッション３０は、ほぼ正方形状に形成されていて、その４つの側面に、空気室３１及び笛３２が設けられている。
【００５１】
本実施の形態によると、空気室３１及び笛３２を複数、設けることで、例えば、１つの空気室３１の吸排気口が閉塞されてしまうような悪条件の元でも、他の空気室３１の笛３２によって告知音を確実に発生させることができる。
【００５２】
なお、例えば、介護用クッションを円形に形成して、その側面に複数の空気室及び笛を設けるようにしてもよい。
【００５３】
以上、本発明に係る介護用クッションについて、実施の形態１〜５において説明したが、本発明はこれらに限定されるものではなく、これらの実施の形態を組み合わせたものも本発明に含まれるものである。
【図面の簡単な説明】
【００５４】
【図１】実施の形態１の介護用クッションの全体構成を示す斜視図である。
【図２】実施の形態１の空気室の縦断面図である。
【図３】実施の形態１の介護用クッションの動作を説明する図である。
【図４】実施の形態２の介護用クッションの全体構成を示す一部破断斜視図である。
【図５】実施の形態２の空気室の縦断面図である。
【図６】実施の形態３の空気室の縦断面図である。
【図７】実施の形態４の空気室の縦断面図である。
【図８】実施の形態５の介護用クッションを上方から見た図である。
【符号の説明】
【００５５】
１，２，３０
介護用クッション
１０，２１，２４
クッション本体
１７，２３，３１
空気室
１８ａ，２２ａ
吸排気口
２０        笛
２２        カバー部材
２４ａ      低反発層（低反発性の発泡クッション材からなる層）
２４ｂ      高反発層（高反発性の発泡クッション材からなる層）
２５        変形防止部材
【図１】
2006288959.tif 000003
【図２】
2006288959.tif 000004
【図３】
2006288959.tif 000005
【図４】
2006288959.tif 000006
【図５】
2006288959.tif 000007
【図６】
2006288959.tif 000008
【図７】
2006288959.tif 000009
【図８】
2006288959.tif 000010